(57)【要約】【課題】ニュース素材データの放送中に、ニュース素材データの素材長が送出枠に満たない場合であっても、アナウンサーへの負荷を低減しつつ、ニュース素材データを送出枠に合わせて送出し得るニュース送出システムを提供する。【解決手段】送出スケジュール管理部１４によりＱシート編集部１３から送られるＱシートに基づいて、送出装置１１のメモリ１１１に記録される複数のニュース素材データそれぞれの送出枠を含む送出スケジュールを生成し、送出コントロール部１２にて送出装置１１のメモリ１１１中の該当するニュース素材データを再生出力させるときに、送出スケジュールに示されるニュース素材データの送出枠と、送出対象となるニュース素材データの素材長とを比較して、素材長が送出枠を満たしているか否かを判定し、素材長が送出枠を満たしていない場合に、送出枠を満たすようにニュース素材データを再生するための再生速度を遅くするようにしている。【選択図】      図１
2007251263.tif 000002
【特許請求の範囲】
【請求項１】
記録媒体に記録された複数のニュース素材データを選択的に再生出力するビデオサーバの動作を、端末装置により別途提供される送出指示情報に基づいて制御するニュース送出システムにおいて、
前記送出指示情報に基づいて、前記ビデオサーバの記録媒体に記録される複数のニュース素材データそれぞれの送出開始時刻から送出終了時刻までの送出枠を含む送出スケジュールデータを生成し、この送出スケジュールデータを前記端末装置に出力するスケジュール生成部を備え、
前記端末装置は、
前記送出スケジュールデータに基づいて、前記ビデオサーバの記録媒体中の該当するニュース素材データを再生出力させる場合に、前記送出スケジュールデータに示されるニュース素材データの送出枠と再生出力されるニュース素材データの素材長とを比較することで、前記素材長が前記送出枠を満たしているか否かまたは前記素材長が前記送出枠を超過しているか否かを判定する判定手段と、
この判定手段により送出対象のニュース素材データの素材長が送出枠に満たないと判定された場合または送出対象のニュース素材データの素材長が送出枠を超過していると判定された場合に、当該ニュース素材データの残再生時間から再生速度を求めて、この再生速度で前記ニュース素材データを再生出力するように前記ビデオサーバを制御する再生制御手段とを備えたことを特徴とするニュース送出システム。
【請求項２】
前記再生制御手段は、前記判定手段により送出対象のニュース素材データの素材長が送出枠に満たないと判定された場合または送出対象のニュース素材データの素材長が送出枠を超過していると判定された場合に、その旨をユーザに報知し、この報知に対しユーザが制御指示を入力した場合に、当該ニュース素材データの残再生時間から再生速度を求めて、この再生速度で前記ニュース素材データを再生出力するように前記ビデオサーバを制御することを特徴とする請求項１記載のニュース送出システム。
【請求項３】
前記再生制御手段は、
前記判定手段により送出対象のニュース素材データの素材長が送出枠に満たないと判定された場合または送出対象のニュース素材データの素材長が送出枠を超過していると判定された場合に、その旨をユーザに報知し、この報知に対しユーザが制御指示を入力した場合に、当該ニュース素材データの残再生時間から再生速度を求めて、この再生速度で前記ニュース素材データを再生出力するように前記ビデオサーバを制御する第１のモードと、
前記判定手段により送出対象のニュース素材データの素材長が送出枠に満たないと判定された場合または送出対象のニュース素材データの素材長が送出枠を超過していると判定された場合に、自動的に当該ニュース素材データの残再生時間から再生速度を求めて、この再生速度で前記ニュース素材データを再生出力するように前記ビデオサーバを制御する第２のモードと、
ユーザのモード指定操作に応じて、前記第１及び第２のモードを選択的に実行させるモード選択制御手段とを備えたことを特徴とする請求項１記載のニュース送出システム。
【請求項４】
前記再生制御手段は、前記ニュース素材データの送出中に、残送出時間が指定された場合に、現再生位置から再生速度を変化させることを特徴とする請求項１記載のニュース送出システム。
【発明の詳細な説明】
【技術分野】
【０００１】
この発明は、ニュース素材データを記録し再生するビデオサーバに対し端末を用いて、再生制御を行う機能を備えたニュース送出システムに関する。
【背景技術】
【０００２】
周知のように、放送局内にあっては、例えばテレビジョン放送やラジオ放送の番組、ＣＭ（コマーシャル）、文字やデータによる番組等の放送番組データを記憶し、任意のタイミングで放送番組データを再生するビデオサーバが使用されている。
【０００３】
ところで、上記放送局においては、ビデオサーバに記憶される放送番組データの品質確認を行なう必要がある。この場合、ビデオサーバに記憶された放送番組データを一定の再生速度で再生して視認することで、放送番組データの品質確認を行なうようにしている。
【０００４】
このため、放送番組データの品質確認に多くの時間と手間を必要としてしまうことになる。そこで、従来では、複数の再生速度の中から任意の再生速度を選択指定し、この指定した再生速度で放送番組データを再生することで、放送番組データの品質確認を短時間で完了する手法が提案されている（例えば、特許文献１）。
【特許文献１】特願２００１−１６５４９号公報。
【発明の開示】
【発明が解決しようとする課題】
【０００５】
ところで、上記放送局では、ビデオサーバから再生されるニュース番組データを放送している際に、当該ニュース番組データのデータ長がスケジュールで決められている送出開始時間から送出終了時間までの送出枠に満たない場合がある。この場合、上記手法により再生速度を変更して送出枠を満たすようにする方法があるが、選択指定できる再生速度が予め決められているため、ニュース番組データの放送中における再生速度の変更に柔軟に対応することができない。
【０００６】
このため、ニュース番組データのデータ長が送出枠に満たない場合には、アナウンサーの喋りで不足分を補うことになり、アナウンサーへの負荷がネックとなっている。
【０００７】
そこで、この発明の目的は、ニュース素材データの放送中に、ニュース素材データの素材長が送出枠に満たない場合または送出枠を超過している場合であっても、アナウンサーへの負荷を低減しつつ、ニュース素材データを送出枠に合わせて送出し得るニュース送出システムを提供することにある。
【課題を解決するための手段】
【０００８】
この発明は、上記目的を達成するために、以下のように構成される。
【０００９】
記録媒体に記録された複数のニュース素材データを選択的に再生出力するビデオサーバの動作を、端末装置により別途提供される送出指示情報に基づいて制御するニュース送出システムにおいて、送出指示情報に基づいて、ビデオサーバの記録媒体に記録される複数のニュース素材データそれぞれの送出開始時刻から送出終了時刻までの送出枠を含む送出スケジュールデータを生成し、この送出スケジュールデータを端末装置に出力するスケジュール生成部を備え、端末装置は、送出スケジュールデータに基づいて、ビデオサーバの記録媒体中の該当するニュース素材データを再生出力させる場合に、送出スケジュールデータに示されるニュース素材データの送出枠と再生出力されるニュース素材データの素材長とを比較することで、素材長が送出枠を満たしているか否かまたは前記素材長が前記送出枠を超過しているか否かを判定する判定手段と、この判定手段により送出対象のニュース素材データの素材長が送出枠に満たないと判定された場合または送出対象のニュース素材データの素材長が送出枠を超過していると判定された場合に、当該ニュース素材データの残再生時間から再生速度を求めて、この再生速度でニュース素材データを再生出力するようにビデオサーバを制御する再生制御手段とを備えるようにしたものである。
【００１０】
この構成によれば、スケジュール生成部により送出指示情報に基づいて、ビデオサーバの記録媒体に記録される複数のニュース素材データそれぞれの送出開始時刻から送出終了時刻までの送出枠を含む送出スケジュールデータを生成し、端末装置にてビデオサーバの記録媒体中の該当するニュース素材データを再生出力させるときに、送出スケジュールデータに示されるニュース素材データの送出枠と、送出対象となるニュース素材データの素材長とを比較することで、素材長が送出枠を満たしているか否かまたは送出対象のニュース素材データの素材長が送出枠を超過しているか否かを判定するようにしている。そして、素材長が送出枠を満たしていないと判定された場合に、送出枠を満たすようにニュース素材データを再生するための再生速度を遅くするようにしている。また、送出対象のニュース素材データの素材長が送出枠を超過していると判定された場合に、送出枠を満たすようにニュース素材データを再生するための再生速度を速くするようにしている。従って、ニュース素材データを放送する際に、ニュース素材データの素材長が送出枠に満たない場合や送出枠を超過している場合であっても、アナウンサーへの負荷を低減しつつ、自動的にニュース素材データを送出枠に合わせて送出することができる。
【００１１】
再生制御手段は、判定手段により送出対象のニュース素材データの素材長が送出枠に満たないと判定された場合、または送出対象のニュース素材データの素材長が送出枠を超過していると判定された場合に、その旨をユーザに報知し、この報知に対しユーザが制御指示を入力した場合に、当該ニュース素材データの残再生時間から再生速度を求めて、この再生速度でニュース素材データを再生出力するようにビデオサーバを制御することを特徴とする。
【００１２】
この構成によれば、送出対象のニュース素材データの素材長が送出枠に満たないと判定されるごとにまたは送出対象のニュース素材データの素材長が送出枠を超過していると判定されるごとにユーザが自身で再生速度を変える必要があるか否かを判断して指示することができ、これにより必要な場合のみ再生速度を変えることが可能となる。
【００１３】
再生制御手段は、判定手段により送出対象のニュース素材データの素材長が送出枠に満たないと判定された場合または送出対象のニュース素材データの素材長が送出枠を超過していると判定された場合に、その旨をユーザに報知し、この報知に対しユーザが制御指示を入力した場合に、当該ニュース素材データの残再生時間から再生速度を求めて、この再生速度でニュース素材データを再生出力するようにビデオサーバを制御する第１のモードと、判定手段により送出対象のニュース素材データの素材長が送出枠に満たないと判定された場合または送出対象のニュース素材データの素材長が送出枠を超過していると判定された場合に、自動的に当該ニュース素材データの残再生時間から再生速度を求めて、この再生速度で前記ニュース素材データを再生出力するようにビデオサーバを制御する第２のモードと、ユーザのモード指定操作に応じて、第１及び第２のモードを選択的に実行させるモード選択制御手段とを備えるようにしたものである。
【００１４】
この構成によれば、例えばニュース素材ごとにモードを設定しておくことで、あるニュース素材については送出対象のニュース素材データの素材長が送出枠に満たないと判定されるごとにまたは送出対象のニュース素材データの素材長が送出枠を超過していると判定されるごとにユーザ自身が必要と判断した場合のみ再生速度を変え、一方別のニュース素材については送出対象のニュース素材データの素材長が送出枠に満たないと判定されるごとにまたは送出対象のニュース素材データの素材長が送出枠を超過していると判定されるごとに即時再生速度を変えるというように、ニュース素材ごとに最適な再生速度制御を行うことができる。
【００１５】
再生制御手段は、ニュース素材データの送出中に、残送出時間が指定された場合に、現再生位置から再生速度を変化させることを特徴とする。
【００１６】
この構成によれば、ニュース素材データの送出中に、急遽送出時間の変更があったとしても、この変更に柔軟に対応することができる。
【発明の効果】
【００１７】
以上詳述したようにこの発明によれば、ニュース素材データの放送中に、ニュース素材データの素材長が送出枠に満たない場合または送出枠を超過している場合であっても、アナウンサーへの負荷を低減しつつ、ニュース素材データを送出枠に合わせて送出し得るニュース送出システムを提供することができる。
【発明を実施するための最良の形態】
【００１８】
以下、この発明の実施形態について図面を参照して詳細に説明する。  
図１は、この発明に係わるニュース送出システムの一実施形態を示すブロック構成図である。
【００１９】
このシステムは、送出装置１１と、端末装置としての送出コントロール部１２と、Ｑシート編集部１３と、スケジュール生成部としての送出スケジュール管理部１４とから構成される。
【００２０】
送出装置１１は、送出コントロール部１２からの指示に従い、映像・音声からなる放送素材データをメモリ１１１に記録し、このメモリ１１１に記録された放送素材データを再生して送出する。また、ニュース素材データも同様に、メモリ１１１に記録し、このメモリ１１１に記録されたニュース素材データを再生して送出する。
【００２１】
送出スケジュール管理部１４は、Ｑシート編集部１３で編集された送出指示情報としてのＱシートをもとに例えばニュース素材の送出開始時刻から送出終了時刻までの送出枠を含む送出スケジュールを作成し、送出コントロール部１２に送出する。
【００２２】
送出コンロトール部１２は、送出スケジュールに従い送出装置１１の送出制御を行う。
【００２３】
ところで、この実施形態では、送出コントロール部１２に、判定部１２１と、通知処理部１２２と、再生速度制御部１２３とを設けている。
【００２４】
判定部１２１は、送出装置１１のメモリ１１１に記録されるニュース素材データを送出する際に、送出スケジュール中の送出対象のニュース素材データの送出枠とメモリ１１１に記録されるニュース素材データの素材長との比較を行い、これにより素材長が送出枠を満たしているか否かあるいは送出枠を超過しているか否かを判定する。
【００２５】
通知処理部１２２は、上記判定部１２１において、素材長が送出枠を満たしていないと判定された場合あるいは送出枠を超過している場合に、その旨のメッセージをモニタＭＴに表示させる。
【００２６】
再生速度制御部１２３は、モニタＭＴに表示されたメッセージに対し入力部１２４からの再生速度制御指示に応じてニュース素材データの残再生時間から最適再生速度を求めて、この再生速度でニュース素材データを再生出力するように送出装置１１を制御する。また、送出中のニュース素材データに対し入力部１２４により残送出時間が指定された場合には、現再生位置から再生速度を変化させる。
【００２７】
次に、上記構成における処理動作について説明する。図２は、送出コントロール部１２の制御処理手順を示すフローチャートである。  
送出コントロール部１２は、送出スケジュールに従い送出装置１１のメモリ１１１に記録されるニュース素材データを送出する場合に（ステップＳＴ２ａ）、送出スケジュール中の送出枠とメモリ１１１に記録中の該当するニュース素材データの素材長とを比較し（ステップＳＴ２ｂ）、これにより素材長が送出枠を満たしているか否かを判定する（ステップＳＴ２ｃ）。そして、満たしていればそのまま処理を終了するが、満たしていない場合にはその旨のメッセージをモニタＭＴに供給して表示させる（ステップＳＴ２ｄ）。従って、この表示によりユーザは送出対象のニュース素材データが送出枠より短い旨を知ることができる。
【００２８】
この状態でユーザが、上記送出枠を満たすべく入力部１２４において再生速度制御指示を入力したとする。そうすると送出コントロール部１２は、ステップＳＴ２ｅからステップＳＴ２ｆに移行してここでニュース素材データの残再生時間から送出枠を満たすような最適再生速度を演算し、送出装置１１に対し再生速度制御を実行する（ステップＳＴ２ｇ）。
【００２９】
なお、上記ステップＳＴ２ｅにおいて、所定時間経過してもユーザが再生速度制御指示を入力しなかった場合には、処理を終了する。
【００３０】
また、上記処理では、送出対象となるニュース素材データの素材長が送出枠に満たない場合に、送出枠を満たすように再生速度を速める例について説明したが、送出対象となるニュース素材データの素材長が送出枠を超過する場合には、送出枠を満たすように再生速度を遅くするように制御できる。
【００３１】
以上のように上記実施形態では、送出スケジュール管理部１４によりＱシート編集部１３から送られるＱシートに基づいて、送出装置１１のメモリ１１１に記録される複数のニュース素材データそれぞれの送出枠を含む送出スケジュールを生成し、送出コントロール部１２にて送出装置１１のメモリ１１１中の該当するニュース素材データを再生出力させるときに、送出スケジュールに示されるニュース素材データの送出枠と、送出対象となるニュース素材データの素材長とを比較して、素材長が送出枠を満たしているか否かを判定し、素材長が送出枠を満たしていない場合に、送出枠を満たすようにニュース素材データを再生するための再生速度を遅くするようにしている。また、素材長が送出枠を超過している場合に、送出枠を満たすようにニュース素材データを再生するための再生速度を速くするようにしている。
【００３２】
従って、ニュース素材データを放送する際に、ニュース素材データの素材長が送出枠に満たない場合や送出枠を超過している場合であっても、アナウンサーへの負荷を低減しつつ、ニュース素材データを送出枠に合わせて送出することができる。
【００３３】
また、上記実施形態では、上記ニュース素材データの素材長が送出スケジュール中の送出枠を満たしているか否かまたは送出枠を超過しているか否かの判定結果をモニタＭＴに表示し、ユーザの指示を待って送出対象となるニュース素材データの再生速度を制御するようにしている。このため、ユーザは現時点で再生速度を制御する必要がない場合には再生速度を制御せずに済む。
【００３４】
さらに、上記実施形態では、ニュース素材データの送出中に、残送出時間が指定された場合に、現再生位置から再生速度を変化させるようにもしているので、ニュース素材データの送出中に、急遽送出時間の変更があったとしても、この変更に柔軟に対応することができる。
【００３５】
なお、上記実施形態では、送出対象となるニュース素材データの素材長が送出スケジュールに示される送出枠に満たない場合や送出枠を超過している場合にその旨を一旦ユーザに報知し、ユーザが再生速度制御指示を入力した場合にニュース素材データの残再生時間から再生速度を求めて、この再生速度でニュース素材データを再生出力するように送出装置１１を制御するようにした。
【００３６】
しかし、これに限定されるものではなく、送出対象となるニュース素材データの素材長が送出スケジュールに示される送出枠に満たない場合や送出枠を超過している場合に、自動的にニュース素材データの残再生時間から再生速度を求めて、この再生速度でニュース素材データを再生出力するように送出装置１１を制御するように構成してもよい。
【００３７】
また、上記ユーザによる再生速度制御指示の入力を待って最適な再生速度を求めて、この再生速度でニュース素材データを再生出力するモードと、送出対象となるニュース素材データの素材長が送出スケジュールに示される送出枠に満たないまたは送出枠を超過していると判定された時点で自動的に最適な再生速度を求めて、この再生速度でニュース素材データを再生出力するモードとの両方を備え、ユーザの選択指示に従いこれらのモードを選択的に動作させるようにしてもよい。
【００３８】
その他、ニュース素材システムの構成、送出コントロール部の機能、再生速度を制御する際の送出コントロール部の制御手順とその内容等についても、この発明の要旨を逸脱しない範囲で種々変形して実施できる。
【図面の簡単な説明】
【００３９】
【図１】この発明に係わるニュース送出システムの一実施形態を示すブロック構成図。
【図２】同実施形態における送出コントロール部の制御処理手順を示すフローチャート。
【符号の説明】
【００４０】
１１…送出装置、１２…送出コントロール部、１３…Ｑシート編集部、１４…送出スケジュール管理部、１１１…メモリ、１２１…判定部、１２２…通知処理部、１２３…再生速度制御部、１２４…入力部、ＭＴ…モニタ。
【図１】
2007251263.tif 000003
【図２】
2007251263.tif 000004